(57)【要約】【課題】  簡単な構造、低コストでしかも取付や使用、不使用時の設定あるいは切り替え操作を簡単に行える実用的な防犯ブザーロック装置を提供する。【解決手段】    戸体の内側に取り付けられた取付台と、警鳴装置と、を含み、警鳴装置は、取付台への取付状態で内戸体の引き違い壁に当接してその引き違い動作を制止させる大きさの外殻を有する。内または外戸体の引き違い動作により内戸体が起動体を押動させて警報音を発生させ、それに続いてさらに引き違い方向へ開く力を与えるときに取付台の一部に内戸体の一部が空間的に重畳した状態で引き違い方向への力を警鳴装置が受けて制止ロックさせる。侵入者が戸体を開いて起動体に内戸体が当たり、さらに開く操作を行うと警鳴装置自体により移動が阻止されて防犯を行う。【選択図】図１２                 
2004150263.tif 000002
【特許請求の範囲】
【請求項１】
内外の走行路に沿って横方向に移動する引き違い式の戸等であり、内外戸体の引き違い開閉動作を妨げないようにそれらの引き違い空隙に対応する位置であって外戸体の内側に取り付けられた取付台と、
取付台に着脱自在に取り付けられ内戸体の引き違い壁に押し付けられてその起動体を起動させて警報音を発生させる警鳴装置と、を含み、
警鳴装置は、取付台への取付状態で内戸体の引き違い壁に当接してその引き違い動作を制止させる大きさの外殻を有し、
内または外戸体の引き違い動作により内戸体が起動体を押動させて警報音を発生させ、それに続いてさらに引き違い方向へ開く力を与えるときに取付台の一部に内戸体の一部が空間的に重畳した状態で引き違い方向への力を警鳴装置が受けて制止ロックさせることを特徴とする防犯ブザーロック装置。
【請求項２】
取付台は外戸体の内側に両面接着テープを介して貼着固定されることを特徴とする請求項１記載の防犯ブザーロック装置。
【請求項３】
警鳴装置と取付台とは金属部材による脱着自在嵌合構成により連結されることを特徴とする請求項１または２記載の防犯ブザーロック装置。
【請求項４】
警鳴装置の起動体は、内外戸体の引き違い動作方向にある程度の摩擦力を有してスライド可能であり、それぞれのスライド端位置で警鳴起動と警鳴解除が行われるように構成されたレバー部材からなる請求項１ないし３のいずれかに記載の防犯ブザーロック装置。
【請求項５】
取付台に対する脱着自在構成を維持しつつ警鳴装置を安定して支持させる金属製永久磁石部材が設けられたことを特徴とする請求項１ないし４のいずれかに記載の防犯ブザーロック装置。
【請求項６】
取付台は平面プレートに孔を開口して構成され、該開口縁部分が警鳴装置との脱着部分を形成することを特徴とする請求項５記載の防犯ブザーロック装置。
【請求項７】
警鳴装置は取付台に着脱自在に嵌合する一辺部を有しこれに連結して略コ字状に曲げられた第２、第３の辺部を有する金属枠部を有し、
さらに、一辺部を取付台に嵌合させた状態で金属枠部の第２の辺部を内戸体の引き違い壁に正対するように金属枠部全体を支持する金属製永久磁石からなる剛体ブロックが取り付けられたことを特徴とする請求項１ないし６のいずれかに記載の防犯ブザーロック装置。
【請求項８】
押しまたは引き開き式の戸類の防犯ブザーロック装置であり、
戸体の内側に取り付けられた取付台と、
躯体側に設けられた脱着具と、
脱着具に脱着自在に連結され取付台に対して案内されつつある程度の摩擦力を受けながらスライド自在に係合する作動体と、
戸体の開き動作に応動して作動体を介して起動体を起動させ警報を発生する警鳴装置と、を含むことを特徴とする防犯ブザーロック装置。
【請求項９】
警鳴装置の起動体は、横方向にある程度の摩擦力を有してスライド可能
であり、それぞれのスライド端位置で警鳴起動と警鳴解除が行われるように構成されたレ
バー部材からなる請求項８記載の防犯ブザーロック装置。
【請求項１０】
作動体と取付台とは金属板部材によるスライド自在構造により構成されることを特徴とする請求項８または９記載の防犯ブザーロック装置。
【請求項１１】
取付台は作動体と取付台とのスライド自在構造部分を含む第１基台と、第１基台にヒンジ連結されて戸体の内側に固定される固定手段を有する第２基台と、を含むことを特徴とする請求項１０記載の防犯ブザーロック装置。
【発明の詳細な説明】
【技術分野】
【０００１】
本発明は、玄関出入り口等の建物から最後に退出する開口以外の開口部分に設けられた戸や窓部分に設けられ侵入者等の侵入時に警鳴とともにそれらの戸や窓の開き動作を制止させうる防犯ブザーロック装置に関する。
【背景技術】
【０００２】
建物室内への侵入者の侵入は玄関以外の窓や引き違い戸、その他の開口を開閉する閉鎖体よりの場合が多く、その際には例えば窓を破壊して室内施錠を解錠したり、外部施錠がある場合には専用器具を用いて不法に解錠される。これを防止するために、通常はそれらの戸体のための専用錠のほかに補助錠を室内側に取り付けたり、侵入者を感知するセンサを介して警報音を発生させる装置を設置する場合が多い。防犯用の補助錠の場合は例えば建物本体側に施錠用の受け金具を固定し、窓や戸のサッシ部分に、掛け金などを取り付けて掛け金を受け金具に掛止させた状態で錠前を施錠させる構造が一般に考えられ、この方法によると施錠あるいは解錠に手間がかかり使用上不便であるとともに、補助錠に加えた万全の防犯を行うためには防犯ブザー装置を別途に取り付けねばならず、すべての窓や戸に設置すると費用もかさむものであった。さらに、外出のたびにそれらの戸体への施錠と防犯ブザーの設定を行わねばならず、煩雑で、防犯用の設定を省略するような場合もあった。
【０００３】
近時、例えば自動車のキーレスエントリシステムのように、錠前用鍵に発振回路を内蔵して無線により家屋側に取り付けた制御回路を操作してブザーの作動可能状態と作動不能状態とに切り替えれるようにした家屋用防犯装置が特開２００２−１５０４３８号において提案されている。この文献の装置では、鍵に一体的に配備された操作スイッチを介して予めブザーを作動不能状態にしておき、その状態で解錠すればブザーによる大きな警報音を生じさせることなく、日常的な簡易な使用が望める。
【０００４】
【特許文献１】特開２００２−１５０４３８号公報
【発明の開示】
【発明が解決しようとする課題】
【０００５】
しかしながら、上述した従来の防犯用の装置では、切り替え制御用無線信号出力用の送信機能を備えた専用の鍵並びに、扉に設けた取り付けプレート等にセンサや受信装置等を設置する必要があり、システム全体のコストが高く、一般家庭の玄関部分以外の引き違い戸、窓、その他の部分の開口開閉用の扉体等のすべてに設置することは困難であるという課題があった。
【０００６】
本発明は、上記従来の課題に鑑みてなされたものであり、その目的は、低コストにより例えば玄関以外のほとんどの開口開閉用戸等に取り付けることができ、しかも取付や使用、不使用時の設定あるいは切り替え操作を簡単に行える実用に優れた防犯用ブザーロック装置を提供することである。
【課題を解決するための手段】
【０００７】
上記の目的を達成するために、本発明は、内外の走行路Ｌ１、Ｌ２に沿って横方向に移動する引き違い式の戸等であり、内外戸体１４，１２の引き違い開閉動作を妨げないようにそれらの引き違い空隙Ｇに対応する位置であって外戸体１２の内側に取り付けられた取付台１６と、取付台１６に着脱自在に取り付けられ内戸体１４の引き違い壁１５に押し付けられてその起動体（２０、５０）を起動させて警報音を発生させる警鳴装置１８と、を含み、警鳴装置は、取付台への取付状態で内戸体１４の引き違い壁１５に当接してその引き違い動作を制止させる大きさの外殻２２を有し、内または外戸体１４，１２の引き違い動作により内戸体１４が起動体２０を押動させて警報音を発生させ、それに続いてさらに引き違い方向へ開く力を与えるときに取付台１６の一部に内戸体１４の一部が空間的に重畳した状態で引き違い方向への力を警鳴装置１８が受けて制止ロックさせる防犯ブザーロック装置（１０Ａ、１０Ｂ、１０Ｃ）から構成される。外戸体１２の内側への装置の取付位置は上端寄り位置でなくとも中段あるいは下端側に取り付けてもよい。警鳴装置の外郭形状は任意に設定してもよい。
【０００８】
また、その際、取付台１６は外戸体１２の内側に両面接着テープ２６を介して貼着固定させるとよい。
【０００９】
さらに、警鳴装置１８と取付台１６とは金属部材による脱着自在嵌合（２４，３０，４０，４４）構成により連結されるようにするとよい。
【００１０】
また、警鳴装置１８の起動体５０は、内外戸体１４，１２の引き違い動作方向にある程度の摩擦力を有してスライド可能であり、それぞれのスライド端位置で警鳴起動と警鳴解除が行われるように構成されたレバー部材５２からなるようにするとよい。
【００１１】
さらに、取付台１６に対する脱着自在構成を維持しつつ警鳴装置１８を安定して支持させる金属製永久磁石部材４２を設けるとよい。
【００１２】
さらに、取付台１６は平面プレー４９トに孔１６１を開口して構成され、該開口縁部分が警鳴装置１８との脱着部分を形成するようにするとよい。
【００１３】
また、警鳴装置１８は取付台１６に着脱自在に嵌合する一辺部４４を有しこれに連結して略コ字状に曲げられた第２、第３の辺部４５，４６を有する金属枠部３６を有し、さらに、一辺部４４を取付台１６に嵌合させた状態で金属枠部３６の第２の辺部４５を内戸体１４の引き違い壁１５に正対するように金属枠部３６全体を支持する金属製永久磁石からなる剛体ブロック４８を取り付けるとよい。
【００１４】
さらに、押しまたは引き開き式の戸類の防犯ブザーロック装置１０Ｄであり、戸体８０の内側に取り付けられた取付台８２と、躯体８４側に設けられた脱着具８６と、脱着具に脱着自在に連結され取付台８２に対して案内されつつある程度の摩擦力を受けながらスライド自在に係合する作動体８８と、戸体の開き動作に応動して作動体を介して起動体５０を起動させ警報を発生する警鳴装置１８と、を含むようにしてもよい。
【００１５】
また、警鳴装置１８の起動体５０は、横方向にある程度の摩擦力を有してスライド可能
であり、それぞれのスライド端位置で警鳴起動と警鳴解除が行われるように構成されたレ
バー部材５２から構成するとよい。
【００１６】
また、作動体８８と取付台８２とは金属板部材によるスライド自在構造により構成するとよい。
【００１７】
また、取付台８２は作動体８８と取付台８２とのスライド自在構造部分を含む第１基台９２と、第１基台にヒンジ９４連結されて戸体８０の内側に固定される固定手段を有する第２基台９６と、を含むとよい。
【発明の効果】
【００１８】
本発明の防犯ブザーロック装置によれば、内外の走行路に沿って横方向に移動する引き違い式の戸等であり、内外戸体の引き違い開閉動作を妨げないようにそれらの引き違い空隙に対応する位置であって外戸体の内側に取り付けられた取付台と、取付台に着脱自在に取り付けられ内戸体の引き違い壁に押し付けられてその起動体を起動させて警報音を発生させる警鳴装置と、を含み、警鳴装置は、取付台への取付状態で内戸体の引き違い壁に当接してその引き違い動作を制止させる大きさの外殻を有し、内または外戸体の引き違い動作により内戸体が起動体を押動させて警報音を発生させ、それに続いてさらに引き違い方向へ開く力を与えるときに取付台の一部に内戸体の一部が空間的に重畳した状態で引き違い方向への力を警鳴装置が受けて制止ロックさせる構成であるから、簡単な構成により、低コストであり、しかも脱着が簡単でかつ侵入者が引き違い方向に戸を開けて警報音を生じさせ、さらにその後も強引に引き開き動作を行おうとしても警鳴装置自体の存在によりその開き移動が確実に制止され、盗難、無断侵入等の犯罪を予防し得る。特に、警鳴装置により制止する際に内戸体側の引き違い壁近傍のサッシ部分を利用するから確実に開き動作を受け止めることができ、同時に、その際の取付台の構成も板体のみの簡単な構成とし得る。また、乾電池等の電源交換のみのメンテナンスでよく、また回路を閉じる電源使用は通常は少ないので運転コストも極めて低コストである。
【００１９】
また、取付台は外戸体の内側に両面接着テープを介して貼着固定される構成とすることにより、取付台の取り付けが簡単で女性等でも簡単に設定でき、また、位置決め容易、サッシ側への固定ビス用孔開け作業が不要である。
【００２０】
また、警鳴装置と取付台とは金属部材による脱着自在嵌合構成により連結される構成であるから、強度を保持して強引な引き開き動作を確実に制止し得る。
【００２１】
また、警鳴装置の起動体は、内外戸体の引き違い動作方向にある程度の摩擦力を有してスライド可能であり、それぞれのスライド端位置で警鳴起動と警鳴解除が行われるように構成されたレバー部材からなる構成とすることにより、戸体の強引な引き開き動作に応動して警鳴する構成をレバー部材のスライド移動によらしめ、警鳴起動とその解除動作をレバー部材の移動操作で簡単に実現させ、装置構成の簡単化を達成し得る。
【００２２】
また、取付台に対する脱着自在構成を維持しつつ警鳴装置を安定して支持させる金属製永久磁石部材が設けられた構成であるから、取付台による警鳴装置の脱着自在支持を磁力により簡単に実現できるとともに、金属製磁石とすることにより強引な引き開き動作に対するバックアップ強度を保持させ得る。
【００２３】
また、取付台は平面プレートに孔を開口して構成され、該開口縁部分が警鳴装置との脱着部分を形成する構成とすることにより、内外戸体の引き違い開閉動作を妨げない程度で引き違い空隙あるいはそれに対応する空間に収容し得る程度の厚みで外戸体の内側に確実に取付台を取り付けることが可能である。
【００２４】
また、警鳴装置は取付台に着脱自在に嵌合する一辺部を有しこれに連結して略コ字状に曲げられた第２、第３の辺部を有する金属枠部を有し、さらに、一辺部を取り付け台に嵌合させた状態で金属枠部の第２の辺部を内戸体の引き違い壁に正対するように金属枠部全体を支持する金属製永久磁石からなる剛体ブロックが取り付けられた構成とすることにより、警鳴装置と取付台との嵌合状態を強固に保持させ、強度を保持して強引な引き開き動作を確実に制止し得るうえに、警鳴装置の取付台への簡易な脱着自在の取付構成を実現し得る。
【００２５】
また、本発明の防犯ブザーロック装置は、押しまたは引き開き式の戸類の防犯ブザーロック装置であり、戸体の内側に取り付けられた取付台と、躯体側に設けられた脱着具と、脱着具に脱着自在に連結され取付台に対して案内されつつある程度の摩擦力を受けながらスライド自在に係合する作動体と、戸体の開き動作に応動して作動体を介して起動体を起動させ警報を発生する警鳴装置と、を含む構成であるから、押しまたは引き開き式の戸類について、セット後の戸の開き動作に対して警報音を発生させ、さらにそれに続く強引な引き開き動作に対して確実にその開き動作を制止し、防犯を行なうことができる。
【００２６】
また、警鳴装置の起動体は、横方向にある程度の摩擦力を有してスライド可能であり、それぞれのスライド端位置で警鳴起動と警鳴解除が行われるように構成されたレバー部材からなる構成とすることにより、戸体の強引な開き動作に応動して警鳴する構成をレバー部材のスライド移動によらしめ、警鳴起動とその解除動作をレバー部材の移動操作で簡単に実現させ、装置構成の簡単化を達成し得る。
【００２７】
また、作動体と取付台とは金属板部材によるスライド自在構造により構成することにより、強度を保持して強引な引き開き動作を確実に制止し得る。
【００２８】
さらに、取付台は作動体と取付台とのスライド自在構造部分を含む第１基台と、第１基台にヒンジ連結されて戸体の内側に固定される固定手段を有する第２基台と、を含むことにより、作動体と取付台とのスライド自在構造部分を含む第１基台側がヒンジ部分を介して回動するから、戸体の開閉時に追随して自在に回動し、作動体のスライド移動を円滑にして警報音発生ならびに装置作動を確実に行える。
【発明を実施するための最良の形態】
【００２９】
次に、添付図面を参照して本発明による防犯用ブザーロック装置の実施の形態を詳細に説明する。本発明の１つの防犯用ブザーロック装置は、引き違い式の戸、窓、扉等（以下「戸等」という）の内側に設置して不審者の侵入時等に警報音発生並びに戸等の開き動作を制止して防犯機能を低廉なコストで確実に行わせる装置である。図１ないし図５は、本発明による防犯用ブザーロック装置の第１の実施形態を示している。本実施形態の防犯用ブザーロック装置１０Ａは、内外の走行路Ｌ１、Ｌ２に沿って横方向に移動する引き違い式の戸であって、そのうちの外戸体１２の内側に取り付けられた取付台１６と、取付台１６に着脱自在に取り付けられた警鳴装置１８と、を有し、さらに警鳴装置１８には内戸体１４の引き違い壁１５に押し付けられて起動する起動体２０と、を備えるとともに、該警鳴装置１８は、取付台１６への取付状態で内戸体１４の引き違い壁１５に当接してその引き違い動作を制止させる大きさの外殻２２を備えている。
【００３０】
本実施形態において、取付台１６は、図２、図５に示すように内外戸体１４，１２の引き違い開閉動作を妨げないようにそれらの引き違い空隙Ｇ（Ｇ１で示される幅の細長い空隙）に対応する位置であって外戸体１２の内側の上端寄り（図１，図３，図４参照）位置に取り付けられている。取付台１６は、既設の内、外戸体に後付けで該防犯ブザーロック装置を装備させるための取付支持用台であり、内外戸体１４，１２の引き違い開閉動作を妨げないように引き違い空隙Ｇ内に常時位置して特に内戸体１４の引き違い壁に当たって移動の際の邪魔にならないような大きさ、形状で構成されている。実施形態において、この取付台１６は１枚の金属薄板部材に着脱受け部２４を表面側に一体的に突設させて構成され、裏面側に両面接着テープ２６が接着されて戸体のサッシ部１２ａの任意の位置に簡単に取り付けされる。着脱受け部２４は、後述する警鳴装置１８を着脱自在に係止支持する部位であり、特にこの実施形態では戸体のサッシ部に縦に取付台１６の本体平面部を貼着させた状態で縦方向に貫通する挿入孔２５が形成されるように平面視コ字状に本体平面部に連接されている。したがって、これに上から差し込むように係合させる部材を警鳴装置側に取り付けることにより、警鳴装置の取り付け、取り外しが極めて簡単で頻繁に室内からの出入りを行う戸体への防犯設定作業を煩雑な作業を伴うことなく行える。着脱受け部２４の突設高さは内外戸体１４，１２の引き違い開閉動作を妨げないように空隙Ｇの幅内に収容される程度の高さ幅に設定されている。
【００３１】
警鳴装置１８は、取付台１６に着脱自在に取り付けられ、引き違い開閉動作時に内戸体１４の引き違い壁１５に押し付けられてその起動体２０を起動させて警報音を発生させる警鳴手段であり、警報音発生を必要としない例えば居住者の在宅等の際には取付台１６から取り外されて戸体を自由に開閉しうるようになっている。図１、図２に示すように、警鳴装置１８は、取付台１６への取付状態で内戸体１４の引き違い壁１５に当接してその引き違い動作を制止させる大きさの外殻を有しており、この実施形態では直方体状のケース２８内に図示しない警報発生装置を内蔵させて形成されている。警鳴装置１８の１つの面には取付台１６のコ字枠状着脱受け部２４の挿入孔２５に挿入しうる先端が下向きのＬ字部材３０が突設されている。このＬ字部材３０は警鳴装置側の着脱構成部分を形成する。実施形態において該Ｌ字部材３０は、金属からなり、そのケース２８との接合部分は延長されてケース２８内に図示しない板部材として存在し、これによって、ケース２８への横方向からの衝撃に対しても強度をもって取付台１６に取り付け支持された状態を保持する。
特に、これらの着脱構成部分が平面コ字枠で横方向はコ字枠の側部が対向しているので、戸体の強制的な引き違い開き動作に対しても十分な強度を有する。しかも、取付台への着脱を容易かつ自在にでき、さらに、装着して防犯状態であるかどうかの確認を視覚を通じて直感的に判断できる。本実施形態において、ケース２８の図２上、両端の小面積の面のうちの内戸体の引き違い壁１５に対向する面に起動体２０が対向方向に突設形成されている。起動体２０は、常時ケースから突出する方向に付勢されて図示しない警報発生体に接続する警報発生回路の中間に介設され、突出状態で回路を開いてオフとし、押し込まれて回路を閉じてオンとして警報を発生させる。
【００３２】
この装置の取付台１６は、内外戸体１４，１２の引き違い開閉動作を妨げないように引き違い空隙Ｇ内に常時位置して薄形で形成されており、警鳴装置１８は、図２に示すように、警報音発生後さらに引き違い方向へ開く力を与えるときには取付台１６の一部に内戸体１４の一部が空間的に重畳した状態となるような位置で取付台１６に装着支持されている。したがって、例えば侵入者がブザー警鳴後さらに引き違い方向へ戸体を開く力を加える場合には、警鳴装置がこの力を受けて戸体の開放動作を受けてそれを制止させる。これによって、警鳴後に引き違い方向に加える力は内戸体１４のサッシ隅部を締め付ける力でサッシ隅部に加えられることになり、取付台１６が外戸体１２から引き剥がされることがなく、薄型のプレートなどでも構成し得る。
【００３３】
次に、第１実施形態の防犯ブザーロック装置１０Ａの作用について説明すると、例えば図３、図４の外戸体１２の内側位置に離型紙を離脱させて接着させておき、必要に応じてあるいは外出時等に警鳴装置１８のケース２８のＬ字部材３０を取付台１６の挿入孔２５内に上から差し込んで係着させる。この状態で、もしも侵入者が外戸体１２を引き違い方向に開き動作を加えると、ケースから突設する起動体２０に内戸体１４の引き違い壁１５が当たり、警報発生回路を閉路して通電させ警報発生体に警報を発生させる。警報音はできるだけ大きな方が好ましい。装置自体の小型化のために発振回路と振動板等を含む構成とするとよい。警鳴後にもかかわらず、侵入者がさらに引き違い方向に外戸体１２を開く力を加えると、内戸体１４が起動体２０を押動させて警報音を発生させ、それに続いてさらに引き違い方向へ開く力を与えるときに取付台１６の一部に内戸体１４の一部が空間的に重畳Ｐした状態で引き違い方向への力を警鳴装置１８が受けて制止ロックさせる。すなわち、図２のように内戸体１４の隅部Ｅが警鳴装置のケース２８と取付台１６とにより挟まれるようにして取付台と警鳴装置のケースとの連結隅部を横方向に押すのみの力となり、したがって、両者の着脱構成部分での横方向からの大きな強度を有する構成により、単なる人力では強引に押し開くことができなくなり、よって、侵入者は室内への現実の侵入を断念させることができる。なお、本装置の取付は、図６のように、内外戸体を２対有する４枚の戸あるいは窓等の構成に適用し得ることは勿論である。
【００３４】
次に図７ないし図１０に基づいて本発明の第２実施形態の防犯ブザーロック装置１０Ｂについて説明するが、第１実施形態と同一部材には同一符号を付し、その詳細な説明は省略する。この実施形態では、内外の走行路Ｌ１、Ｌ２に沿って横方向に移動する引き違い式の戸等であり、内外戸体１４，１２の引き違い開閉動作を妨げないようにそれらの引き違い空隙Ｇに対応する位置であって外戸体１２の内側に取り付けられた取付台１６と、取付台１６に着脱自在に取り付けられ内戸体１４の引き違い壁１５に押し付けられてその起動体２０を起動させて警報音を発生させる警鳴装置１８と、を含む点は、第１実施形態と同様である。この実施形態では、警鳴装置１８自体の構造と、該警鳴装置の取付台１６との着脱構成が異なる。警鳴装置１８と取付台１６とは金属製部材により形成されている。
【００３５】
本実施形態の警鳴装置１８は、横向きのフック開口を有するフック部３２を一体的に備えた収容枠３４と、収容枠３４に嵌合された警報発生回路並びに警報発生体を含むケース２８と、を有している。収容枠３４は一端側にフック部３２を形成し他端側を延長させた側面柄杓状の金属枠部３６と、該金属枠部３６の他端延長部分を一面側に接着あるいは接合固定させた角筒部３８と、を含む。一方、取付台１６は、図７において、横方向に貫通孔を有するコ字枠状の着脱受け部４０を有している。そして、収容枠３４の金属枠部３６のフック部３２内側に磁石部材４２が設置されている。磁石部材４２は、取付台１６に対する脱着自在構成を維持しつつ警鳴装置１８を安定して取付台に対して支持させる着脱安定支持手段であり、実施形態においては例えば直方体形状の金属製永久磁石部材が設けられている。これによって、例えば図１０の外戸体１２の内側位置に離型紙を離脱させて取付台１６を接着させておき、外出時等に警鳴装置１８のフック片を横方向から挿入して終端まで差し込み、さらに、その状態で、金属製磁石部材４２を側面間隙側から挿入し装着させる（図８参照）。このとき、磁力により収容枠３４の金属枠部３６のフック部内側に装着された状態で、ケース２８を担持固定する金属枠部３６並びに取付台１６の両側に磁着し、これによって、警鳴装置１８の取付台に対する脱着を簡単に行わせるとともに、図８のように、側面側から接近して起動体２０に当接し、さらに、警鳴装置１８全体を押動させる際に、金属板体のフック形状の芯部分に永久磁石部材を装着させる結果、強度を高くして警鳴に続く押し開き動作に抗してそれを制止させることができる。
【００３６】
次に図１１ないし図１７に基づいて本発明の第３実施形態の防犯ブザーロック装置１０Ｃについて説明するが、第１実施形態と同一部材には同一符号を付し、その詳細な説明は省略する。この実施形態においても、内外の走行路Ｌ１、Ｌ２に沿って横方向に移動する引き違い式の戸等であり、内外戸体１４，１２の引き違い開閉動作を妨げないようにそれらの引き違い空隙Ｇに対応する位置であって外戸体１２の内側に取り付けられた取付台１６と、取付台１６に着脱自在に取り付けられ内戸体１４の引き違い壁１５に押し付けられてその起動体２０を起動させて警報音を発生させる警鳴装置１８と、を含む点は、第１実施形態と同様である。この実施形態では、警鳴装置１８の支持構造と、起動体２０並びに警鳴装置の取付台１６との着脱構成が異なる。警鳴装置１８と取付台１６とは金属製の部材により形成されている。  
【００３７】
本実施形態の警鳴装置１８は、図１３ないし図１５に示すように、横向きのフック開口を有するフック部３２を一体的に備えた収容枠３４と、収容枠３４に嵌合された警報発生回路並びに警報発生体を含むケース２８と、を有している。収容枠３４は一端側にフック部３２を形成し他端側を延長させた側面柄杓状の金属枠部３６と、該金属枠部３６の他端延長部分を一面側に接着あるいは接合固定させた両端を開口する角筒部３８と、を含む。角筒部３８は、たとえば合成樹脂製からなり、該角筒部３８の一つの内面に接合して金属枠部３６の延長側が接着固定されている。この実施形態において、側面柄杓状の金属枠部３６は取付台１６に着脱自在に嵌合する一辺部４４を有しこれに連結して略コ字状に曲げられた第２、第３の辺部４５，４６を有する構成であり、他端延長側となる一辺部４６は角筒部３８の中空内部に全長長さにわたって挿入されそのうちの一つの内面に接着あるいは嵌合等により固定されている。この実施形態において、収容枠３４は、警報発生部を含むケース２８を着脱可能に把持し金属枠部３６を介して取付台１６に着脱自在に取り付ける取付台への支持枠手段である。この実施形態において、さらに、一辺部４４を取付台１６に嵌合させた状態で金属枠部３６の第２の辺部４５を内戸体１４の引き違い壁１５に正対するように金属枠部３６全体を支持する永久磁石からなる剛体ブロック４８が取り付けられている。実施形態において、剛体ブロック４８は円筒体からなり、角筒状ケース２８の取付台に面して配置される側面の略中央位置において金属枠部３６に磁力吸着される。この剛体ブロック４８は、図１２、図１８〜図２０に示すように、一辺部４４となるフック片を取付台１６に嵌合させた状態で取付台１６の表面と金属枠部３６の下面との間に挟まれて磁力吸着状態で配置される。よって、ケースを担持する収容枠３４が取付台１６に対して脱着自在に嵌合させることができ、さらにその際、内戸体１４の引き違い壁１５に当接する方向に起動体２０の当接部を向けて設定させることができる。
【００３８】
本実施形態では、取付台１６は平面プレート４９に孔１６１を開口して構成され、該開口縁部分が警鳴装置１８との脱着部分を形成する。すなわち、上記のように、金属枠部３６と取付台３６との間に金属製永久磁石からなる剛体ブロック４８を配置させることにより、取付台に対する収容枠の安定支持と脱着自在性並びに内戸体の押し開き動作抑止を実効的に行える。さらに取付台１６は平面プレートの一面に例えば両面接着テープ２６を貼着しておくことにより、外戸体の例えばサッシ部１２ａに該取付台１６を接着固定し、その際に生じる両面接着テープぶんの厚み幅ぶんのテープ切欠部を形成しておけばその厚みぶんの隙間内に収容枠のフック片が嵌入し、これによって、内外戸体の引き違い開閉動作を妨げない程度の空隙に確実に収容し得る。さらに、この取付台１６は横長金属板の上端縁をその横長辺に沿ってサッシ側に向けて若干Ｌ字状に曲げており、このＬ字屈曲部分をサッシの上端縁にあてがって位置決めした状態で両面テープで接着すると、取付が極めて簡単で位置決め精度も良好であり、しかも、警報音発生に続く開き動作に対して強い制止力を保持しうる。
【００３９】
本実施形態においては、警鳴装置１８の起動体５０は、内外戸体１４，１２の引き違い動作方向にある程度の摩擦力を有してスライド可能であり、それぞれのスライド端位置で警鳴起動と警鳴解除が行われるように構成されたレバー部材５２から形成されている。すなわち、図１４に示すように、本実施形態の警鳴装置１８は、収容枠３４に担持され警報発生部を内蔵したケース２８に起動体５０を備えて形成され、略直方体状のケース２８を抱き込むようにケースの両端面側に伸びる第１、第２レバー端部５３，５４を有して略コ字板状の枠部材からなる金属製レバー部材５２が一端を該ケースに連結させ他端側を自由端状態として設けられている。レバー部材５２は、図１１，１２に示すように収容枠３４内においてある程度の緊締状態で角筒部３８内に嵌合されてある程度の摩擦力を有してその長手方向にスライド可能に構成されている。すなわち、図１６，１７において、警報発生部は乾電池等の電源５６、発振回路５８、振動板等を含む警報発生体６０に接続して機械スイッチ部６２で閉回路を構成するように接続されている。そして、機械スイッチ部６２は例えば常時閉の板ばね接点部材から構成されている。第１レバー端部５３は、図１６のように常時閉の板ばね接点部材に対して進出開あるいは退縮閉とするように該板ばね接点部材を係合駆動させる絶縁性材料からなる先鋭部６４を有する部位であり、第２レバー端部５４は、第１レバー端部と一体に連接されて構成されケース２８の対向する他の面側に配置されて内戸体の引き違い壁１５に当接押動される部位である。第１レバー端部５３の先鋭部６４は、ケース２８の一部を切り欠いた小片に連結されており、進出時に板ばね接点を開きその状態で突出したい第２レバー端部５４側を引き違い壁１５側に面して配置させる。図１２のように、第２レバー端部５４の突出状態では警報発生部の警報発生回路を開き鳴動解除状態となっている。この状態から、内戸体が引き違い動作で開かれて第２レバー端部に当接しレバー端部を押動すると第１レバー端部５３が強制的にケース２８から引き離されてその先鋭部６４が退縮し、接点を閉じて鳴動起動させる。
【００４０】
この第３実施形態の防犯ブザーロック装置１０Ｃでは、図１９のように、内戸体１４が引き違い動作で開かれて第２レバー端部５４に当接し警報発生回路の接点を閉じて鳴動起動させる。さらに、この鳴動が持続する状態から、侵入者が強い力で引き違い方向にいずれかの戸体を開く動作を行っても、図２０のように、金属製レバー部材５２と金属枠部３６の密着、永久磁石４８の支持、金属枠部３６の取付台１６との接続を介して強固にその動作を制止ロックし、それ以上引き違い方向に戸体を開かせないようにし得る。
【００４１】
次に、防犯ブザーロック装置の第４実施形態を図２１ないし図２４に基づいて説明するが、前記した実施形態と同一部材には同一符号を付し、その詳細な説明は省略する。本実施形態の防犯ブザーロック装置は、押しまたは引き開き式の戸（ドア）類に適用される防犯ブザーロック装置である。該防犯ブザーロック装置１０Ｄは、戸体８０の内側に取り付けられた取付台８２と、躯体８４側に設けられた脱着具８６と、作動体８８と、警鳴装置９０と、を含む。作動体８８は、戸体の周囲の躯体８４側に固定された脱着具８６に脱着自在に連結されるとともに、取付台８２に対して案内されながら該取付台８２に対してある程度の摩擦力を持って脱着具８６に進退する方向にスライド自在に係合する。作動体８８と取付台８２とは金属板部材によるスライド自在構造により形成されている。
【００４２】
実施形態において、取付台８２は作動体８８と取付台とのスライド自在構造部分を含む第１基台９２と、第１基台９２にヒンジ９４連結されて戸体８０の内側に固定される固定手段を有する第２基台９６と、を含む。第２基台９６は金属平板からなり例えばビス等により戸体８０の内側上端寄り位置に固定されている。第１基台９２は、警鳴装置１８を把持しつつ作動体８８を摩擦力を有してスライド自在に横方向に案内させる部位であり、特に本実施形態では第２基台９６とヒンジ連結されて警鳴装置あるいは作動体８８を図２４のようにヒンジ部分を軸として回動自在に移動しうるようになっている。実施形態において、第１基台９２は第２基台９６にヒンジ連結される金属製長板部材９８と、該金属製長板部材９８に一内面を固着された合成樹脂製の両端を開口した長筒部材１００と、を含む。長筒部材１００の筒内には作動体８８とともに第３実施形態と同様の警報発生回路を含むケース２８、すなわち警鳴装置１８が摩擦力をもって両端開口方向すなわち横方向にスライド移動可能となっている。
【００４３】
作動体８８は、一端を脱着具８６に脱着自在に連結されつつ取付台８２に対して案内されながらある程度の摩擦力を受けてスライド自在に係合する警鳴装置１８の警報起動手段であり、本実施形態では長板部材からなり案内長孔１０２を穿孔させるとともに第１基台９２に立設させたピン部材１０４を貫通させて脱着具８６方向に進退自在に移動案内される。この作動体８８の案内長孔１０２の端縁には当接片１０３が上方に立設固着されている。この長板部材からなる作動体８８の他端側はリング１０６、開閉フック１０８を含む脱着具８６を介して躯体側に固定した台付き固定リング１１０に着脱自在に接続される。
【００４４】
警鳴装置１８は、戸体８０の開き動作に応動して作動体８８を介して起動体５０を起動させ警報を発生する警鳴手段であり、第３実施形態と同様に、本実施形態の警鳴装置１８の起動体５０は、横方向にある程度の摩擦力を有してスライド可能であり、それぞれのスライド端位置で警鳴起動と警鳴解除が行われるように構成されたレバー部材５２からなる。そして、図２３，２４のように、第１基台９２の長筒部材１００の内面に作動体８８を挟み込むようにして該長筒部材１００の中空内にケース２８を嵌合させる。前述のように、ケース２８はある程度の摩擦力をもって名が筒の両端側にスライド移動可能に設けられている。
【００４５】
上記のように、本実施形態の防犯ブザーロック装置１０Ｄは、図２３のように戸体の内側に本装置を取り付けておき、脱着具８６を介して警鳴装置１８とを連結した場合、作動体８８は非作動状態とされる。この状態から図２４のように強引に戸体８０を引き開く動作を行うことにより、作動体８８の当接片１０３が第２レバー端部５４に当接して押し付ける。このとき、第２レバー端部５４と一体連接された第１レバー端部５３は、図２４のようにケース本体の分割切り欠きから分離してその先鋭部６４が退縮してばね力により回路を閉じ、発振回路を介した警報発生体に警報音（例えば鋭い断続音等やブザー音等）を発生させる。この後、さらに戸体を開放しようとしても金属製長板部材９８ならびに作動体８８との係合により戸体が開くことが防止される。断続音の復帰時には、レバー部材５２を逆にスライドさせると音発生が停止される。なお、この実施形態の警鳴装置１８は、例えば第１実施形態の図２のように、レバー部材を設けることなく、単なる内戸体の側壁面に起動スイッチを設けてもよい。
【００４６】
以上、防犯ブザーロック装置の実施形態について説明したが、本発明は上記実施形態に限定されるものでなく、特許請求の範囲に記載した発明の本質を逸脱しない範囲における、種々の変更、改良、組合せ等も本発明に含まれる。例えば、上記実施形態では警鳴装置は戸体の開き方向への強制移動時に直接に機械接点を操作して警報音発生を行っているが、近接スイッチ、その他の移動量検出式のセンサ等を用いてもよい。
【産業上の利用可能性】
【００４７】
本発明は、建物の種々の開閉用戸体（ドア）に取り付けられて侵入者の侵入を予防する防犯用装置として広く適用することが可能である。
【図面の簡単な説明】
【００４８】
【図１】本発明の第１実施形態に係る防犯ブザーロック装置の取付態様を含めた斜視説明図である。
【図２】図１の防犯ブザーロック装置の取付状態の拡大平面図である。
【図３】図２の状態の斜視説明図である。
【図４】図２の状態で戸体全体を示して説明した斜視説明図である。
【図５】図１の防犯ブザーロック装置を２枚の引き違い戸の構成に適用した場合の平面説明図である。
【図６】図１の防犯ブザーロック装置を４枚の引き違い戸の構成に適用した場合の平面説明図である。
【図７】本発明の第２実施形態に係る防犯ブザーロック装置の取付態様を含めた拡大平面説明図である。
【図８】図７の防犯ブザーロック装置の取付状態の拡大平面説明図である。
【図９】図７の防犯ブザーロック装置の取付状態の戸体全体を示して説明する正面説明図である。
【図１０】図７の防犯ブザーロック装置の取付台のみを外戸体の内側に取り付けた状態の正面説明図である。
【図１１】本発明の第３実施形態に係る防犯ブザーロック装置の取付態様を含めた拡大斜視説明図である。
【図１２】図１１の防犯ブザーロック装置の取付状態の一部切り欠き拡大平面説明図である。
【図１３】図１１の防犯ブザーロック装置の収容枠の平面説明図である。
【図１４】図１１の防犯ブザーロック装置の警鳴装置の平面説明図である。
【図１５】図１１の防犯ブザーロック装置の収容枠の斜視説明図である。
【図１６】図１１の防犯ブザーロック装置の起動体の構成兼作用説明図である。
【図１７】図１１の防犯ブザーロック装置の警報発生回路の回路図である。
【図１８】図１１の防犯ブザーロック装置の正面図である。
【図１９】図１１の防犯ブザーロック装置の作用説明図である。
【図２０】図１１の防犯ブザーロック装置の作用説明図である。
【図２１】本発明の第４実施形態に係る防犯ブザーロック装置の取付態様を含めた拡大正面図である。
【図２２】本発明の第４実施形態に係る防犯ブザーロック装置の戸体全体を示して説明する取付状態説明図である。
【図２３】図２２の防犯ブザーロック装置の取付状態の平面説明図である。
【図２４】図２２の防犯ブザーロック装置の作用説明図である。
【符号の説明】
【００４９】
１０Ａ  第１実施形態の防犯ブザーロック装置
１０Ｂ  第２実施形態の防犯ブザーロック装置
１０Ｃ  第３実施形態の防犯ブザーロック装置
１０Ｄ  第４実施形態の防犯ブザーロック装置
１２  外戸体
１４  内戸体
１５  内戸体の引き違い壁
１６  取付台
１８  警鳴装置
２０  起動体
２４  着脱受け部
２６  両面接着テープ
２８  ケース
３２  フック部
３６  金属枠部
４０  着脱受け部
４２  磁石部材
４４  着脱嵌合一辺部
４５  第２辺部
４６  第３辺部
４８  剛体ブロック
５０  起動体
５２  レバー部材
５３  第１レバー端部
５４  第２レバー端部
６０  警報発生体
６２  機械スイッチ部
８０  戸体
８２  取付台
８４  躯体
８６  脱着具
８８  作動体
９２  第１基台
９４  ヒンジ
９６  第２基台
９８  金属製長板部材
１０３  当接片
【図１】
2004150263.tif 000003
【図２】
2004150263.tif 000004
【図３】
2004150263.tif 000005
【図４】
2004150263.tif 000006
【図５】
2004150263.tif 000007
【図６】
2004150263.tif 000008
【図７】
2004150263.tif 000009
【図８】
2004150263.tif 000010
【図９】
2004150263.tif 000011
【図１０】
2004150263.tif 000012
【図１１】
2004150263.tif 000013
【図１２】
2004150263.tif 000014
【図１３】
2004150263.tif 000015
【図１４】
2004150263.tif 000016
【図１５】
2004150263.tif 000017
【図１６】
2004150263.tif 000018
【図１７】
2004150263.tif 000019
【図１８】
2004150263.tif 000020
【図１９】
2004150263.tif 000021
【図２０】
2004150263.tif 000022
【図２１】
2004150263.tif 000023
【図２２】
2004150263.tif 000024
【図２３】
2004150263.tif 000025
【図２４】
2004150263.tif 000026